【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
吸込口および吹出口がそれぞれ形成され、室内の壁面に設置される本体と、
前記吸込口から室内空気を吸い込んで、前記吹出口に至る風路を形成する送風機と、
前記風路に設置され、冷凍サイクルの一部を実行する熱交換器と、
前記吹出口に設置され、前記熱交換器において調和空気の吹き出し方向を調整する風向調整装置と、
前記室内を撮像する撮像装置と、
少なくとも前記送風機および前記風向調整装置を制御する制御装置と、を有し、
前記制御装置は、前記撮像装置によって撮像された人間の顔が、予め定めた時間である認識時間の間、前記撮像装置に対面して静止しているとき、当該人間を制御対象者として、当該制御対象者の属性を判断し、
現在冷房運転中若しくは現在送風運転中または前回運転停止時の運転モードが冷房運転若しくは送風運転であった場合で前記制御対象者が男性のときは、前記送風機の回転数を、予め設定された回転数または前回運転停止の際に設定されていた回転数に設定し、
現在冷房運転中若しくは現在送風運転中または前回運転停止時の運転モードが冷房運転若しくは送風運転であった場合で前記制御対象者が女性のときは、前記送風機の回転数を、予め設定された回転数または前回運転停止の際に設定されていた回転数よりも小さい回転数に設定し、
当該設定された回転数で前記送風機を回転することによって前記制御対象者に向けてまたは前記制御対象者が居る位置に向けて送風することを特徴とする空気調和機の室内機。
【請求項２】
前記制御装置は、前記設定された回転数で前記送風機を回転することによって前記制御対象者または前記制御対象者が居る位置に向けての送風を開始してから、予め定めた時間である集中吹出時間が経過したところで、前記女性に対して設定されていた小さい回転数を、設定される前の回転数に戻し、当該設定される前の回転数で前記送風機を回転して、前記制御対象者または前記制御対象者が居る位置の周囲を含む範囲に分散して送風することを特徴とする請求項１記載の空気調和機の室内機。
【請求項３】
吸込口および吹出口がそれぞれ形成され、室内の壁面に設置される本体と、
前記吸込口から室内空気を吸い込んで、前記吹出口に至る風路を形成する送風機と、
前記風路に設置され、冷凍サイクルの一部を実行する熱交換器と、
前記吹出口に設置され、前記熱交換器において調和空気の吹き出し方向を調整する風向調整装置と、
前記室内を撮像する撮像装置と、
前記室内の温度を検出する検温装置と、
少なくとも前記送風機、前記風向調整装置および前記冷凍サイクルを制御する制御装置と、を有し、
前記制御装置は、前記撮像装置によって撮像された人間の顔が、予め定めた時間である認識時間の間、前記撮像装置に対面して静止しているとき、当該人間を制御対象者として、当該制御対象者の属性を判断し、
現在冷房運転中若しくは現在送風運転中または前回運転停止時の運転モードが冷房運転若しくは送風運転であった場合で前記制御対象者が女性のときは、前記送風機の回転数を、予め設定された回転数または前回運転停止の際に設定されていた回転数よりも小さい回転数に設定し、
前記制御対象者の体温が予め定められた標準温度範囲内の温度を外れているとき、調和空気の吹出温度を現在運転中の調和空気の吹出温度または前回運転停止時の調和空気の吹出温度とは相違する吹出温度にし、
前記設定された回転数で前記送風機を回転することによって、前記吹出温度の調和空気を前記制御対象者に向けてまたは前記制御対象者が居る位置に向けて送風することを特徴とする空気調和機の室内機。
【請求項４】
前記制御装置は、前記制御対象者の体温が前記標準温度範囲内の温度に戻ったとき、前記調和空気の吹出温度を変更前の吹出温度に戻すことを特徴とする請求項３記載の空気調和機の室内機。
【請求項５】
前記制御装置は、前記制御対象者の体温が前記標準温度範囲内の温度に戻ったとき、前記設定されていた小さい回転数を、設定される前の回転数に戻し、当該設定される前の回転数で前記送風機を回転することによって前記制御対象者または前記制御対象者が居る位置の周囲を含む範囲に分散して送風することを特徴とする請求項４記載の空気調和機の室内機。
【請求項６】
吸込口および吹出口がそれぞれ形成され、室内の壁面に設置される本体と、
前記吸込口から室内空気を吸い込んで、前記吹出口に至る風路を形成する送風機と、
前記風路に設置され、冷凍サイクルの一部を実行する熱交換器と、
前記吹出口に設置され、前記熱交換器において調和空気の吹き出し方向を調整する風向調整装置と、
前記室内を撮像する撮像装置と、
携帯用情報端末によって送信されたユーザー顔情報およびユーザー空調情報と前記撮像装置が撮像した映像とに基づいて、前記送風機、前記冷凍サイクル及び前記風向調整装置のうち少なくとも１つを制御する制御装置と、を有し、
前記制御装置は、前記撮像装置によって撮像された人間の顔が、予め定めた時間である認識時間の間、前記撮像装置に対面して静止しているとき、当該人間を制御対象者として、当該制御対象者の顔と前記携帯用情報端末によって送信され予め記憶しているユーザー顔情報に示された顔とを対照し、当該制御対象者の顔が前記記憶しているユーザー顔情報に示された顔のうちの特定のユーザーの顔である場合、当該制御対象者に向けて前記特定のユーザー用に設定されたユーザー空調情報に示された空調環境になる調和空気を吹き出すよう、前記送風機、前記冷凍サイクル及び前記風向調整装置のうち少なくとも１つを制御することを特徴とする空気調和機の室内機。
【請求項７】
前記ユーザー顔情報および前記ユーザー空調情報が、第１ユーザーの顔に関する第１ユーザー顔情報および第１ユーザー用に設定された第１ユーザー空調情報を含み、
前記制御装置は、前記制御対象者の顔が前記第１ユーザーの顔である場合、当該人間に向けて前記第１ユーザー空調情報に示された空調環境になる調和空気を、所定の時間である集中吹出時間の間だけ吹き出すよう、前記送風機、前記冷凍サイクルおよび前記風向調整装置のうち少なくとも１つを制御することを特徴とする請求項６記載の空気調和機の室内機。
【請求項８】
前記ユーザー顔情報および前記ユーザー空調情報が、第２ユーザーの顔に関する第２ユーザー顔情報および第２ユーザー用に設定された第１ユーザー空調情報を含み、
前記制御装置は、前記集中吹出時間が経過した後に、前記室内に、前記制御対象者以外の人間がいると判断し、当該制御対象者以外の人間の顔が前記第２ユーザーの顔である場合、前記第１ユーザー空調情報に示された空調環境と前記第２ユーザー空調情報に示された空調環境との平均的な空調環境になる調和空気を前記室内に向けて吹き出すよう、前記送風機、前記冷凍サイクルおよび前記風向調整装置のうち少なくとも１つを制御することを特徴とする請求項７記載の空気調和機の室内機。
【請求項９】
前記制御装置は、前記送風機、前記冷凍サイクルおよび前記風向調整装置の何れかを制御している際、所定の時間である当初位置滞在時間が経過しても前記制御対象者が前記特定された位置にいる場合、前記調和空気が前記室内に略均一に送られるように前記風向調整装置を制御することを特徴とする請求項６〜８の何れか一項に記載の空気調和機の室内機。
【請求項１０】
前記制御装置は、前記制御対象者が移動した場合、当該人間の移動先を特定し、当該特定された位置に向けて送風するように前記風向調整装置を制御することを特徴とする請求項１〜９の何れか一項に記載の空気調和機の室内機。
【請求項１１】
前記制御装置は、前記特定された位置に、前記特定された位置から離れた位置よりもより長時間またはより多量の前記調和空気が送られるように、前記風向調整装置を制御することを特徴とする請求項１〜１０の何れか一項に記載の空気調和機の室内機。
【請求項１２】
前記制御装置は、前記冷凍サイクルの停止中に、前記撮像装置によって撮像された人間の顔が、前記認識時間の間、前記撮像装置に対面して静止しているとき、前記冷凍サイクルを起動することを特徴とする請求項１〜１１の何れか一項に記載の空気調和機の室内機。